(57)【要約】【課題】切ったり曲げたりする道具を使わずに簡単に対象部品に貼り付けて確実なノイズ対策を行うことのできるノイズ対策シートを提供する。【解決手段】電磁遮蔽シート１の下面１ｂに粘着層３を有し、下方に折り曲げ可能とされたノイズ対策シート１において、対象部品を覆う際に上面板となる領域部分１１と、その外周縁の外側にあって下方に折り曲げられることで、対象部品の全周側面を覆う側面板となる領域部分１２と、折り曲げ線２１ａ、２１ｂ、２２と、切り込み２３と、を備え、上面板と側面板を有する箱状に折り曲げて、基板上に実装されたノイズ対策の対象部品を覆うように被せて貼り付けて使用する。【選択図】図１
2015177093.tif 000002
【特許請求の範囲】
【請求項１】
電磁遮蔽シートの下面に粘着層を有し、下方に折り曲げ可能とされたノイズ対策シートにおいて、
ノイズ対策の対象部品を覆う際に上面板となる領域部分と、当該上面板となる領域部分の外周縁の外側にあって下方に折り曲げられることで、上記ノイズ対策の対象部品の全周側面を覆う側面板となる領域部分と、上記上面板となる領域部分の外周縁に設けられ、上記側面板となる領域部分を下方に折り曲げるための折り曲げ線と、上記側面板となる領域部分に、当該側面板となる領域部分の外周縁から上記上面板となる領域部分の外周縁に向かって設けられ、上記側面板となる領域部分を下方に折り曲げるための切り込みと、上記側面板となる領域部分に設けられ、上記側面板となる領域部分を下方に折り曲げた際に、余った部分を更に折り曲げて側面板になった部分に重ね合わせるための折り曲げ線と、を有することを特徴とするノイズ対策シート。
【請求項２】
上記電磁遮蔽シートが、その上面または下面の少なくとも一方の面に、上記電磁遮蔽シートが破断された状態にある場合にも当該電磁遮蔽シートを繋がった状態に保持する保護層を備えていることを特徴とする請求項１に記載のノイズ対策シート。
【請求項３】
請求項１または２に記載のノイズ対策シートを、上面板と側面板を有する箱形に折り曲げて、回路基板上に実装されたノイズ対策の対象部品を覆うように被せて貼り付けたことを特徴とするノイズ遮蔽構造。
【発明の詳細な説明】
【技術分野】
【０００１】
本発明は、電子部品のＥＭＩ対策（電磁障害対策）に使用されるノイズ対策シート、および、それを用いたノイズ遮蔽構造に関するものである。
【背景技術】
【０００２】
従来、例えば、回路基板上に実装された小型の電子部品のノイズ対策として、焼結フェライト板などで構成されたノイズ対策シートを電子部品に貼り付けることが行われている。焼結フェライト板は、高透磁率化によって高いノイズ対策性能を有するものの、弾性係数が小さいために曲げることができない。
【０００３】
このため、図３に示すように、回路基板１０１上に実装された小型の電子部品１００のノイズ対策を行う多くの場合は、平板状のノイズ対策シート１１０を、平板の状態のまま電子部品１００の上に貼り付けているだけであった。あるいは、小片に分割したものを側面に貼り付けることもあった。
【０００４】
しかし、上記従来のノイズ対策においては、ノイズ対策シートで覆われていない電子部品１００の側面や側面を小片で覆った場合にもその隙間からノイズＡが漏れるという問題があった。
【０００５】
この問題を解消できるものとして、例えば下記特許文献１に記載された、電子機器の平面、曲面または凸凹の表面に貼着、剥離の可能な焼結フェライト基板が知られている。
【０００６】
この特許文献１に記載された焼結フェライト基板は、焼結フェライト板の一方の表面に粘着材層を設けるとともに、焼結フェライト板の少なくとも一方の表面に連続する溝を設けて、その溝を起点として焼結フェライト板を分割できるようにしたものである。
【０００７】
この焼結フェライト基板を利用する場合は、溝を起点として焼結フェライト基板を折り曲げる。そうすることにより、この焼結フェライト基板によれば、溝以外の場所で不定形に割れることなく、平面や曲面あるいは多少の凹凸を有する表面に沿って電子部品を覆うことができるという利点がある。
【先行技術文献】
【特許文献】
【０００８】
【特許文献１】特許第４２７７５９６号公報
【発明の概要】
【発明が解決しようとする課題】
【０００９】
しかしながら、実際の使用においては、ノイズ対策を施す対象部品に合わせて、切ったり曲げたりすることが必要であり、別途道具等が必要になって作業に多くの手間を要するという問題点があった。
【００１０】
本発明は、上記事情に鑑みてなされたもので、切ったり曲げたりする道具を使わずに簡単に対象部品に貼り付けて確実なノイズ対策を行うことのできるノイズ対策シート、および、それを用いたノイズ遮蔽構造を提供することを目的とするものである。
【課題を解決するための手段】
【００１１】
上記課題を解決するために、請求項１に記載の発明に係るノイズ対策シートは、電磁遮蔽シートの下面に粘着層を有し、下方に折り曲げ可能とされたノイズ対策シートにおいて、ノイズ対策の対象部品を覆う際に上面板となる領域部分と、当該上面板となる領域部分の外周縁の外側にあって下方に折り曲げられることで、上記ノイズ対策の対象部品の全周側面を覆う側面板となる領域部分と、上記上面板となる領域部分の外周縁に設けられ、上記側面板となる領域部分を下方に折り曲げるための折り曲げ線と、上記側面板となる領域部分に、当該側面板となる領域部分の外周縁から上記上面板となる領域部分の外周縁に向かって設けられ、上記側面板となる領域部分を下方に折り曲げるための切り込みと、上記側面板となる領域部分に設けられ、上記側面板となる領域部分を下方に折り曲げた際に、余った部分を更に折り曲げて側面板になった部分に重ね合わせるための折り曲げ線と、を有することを特徴とするものである。
【００１２】
また、請求項２に記載の発明は、請求項１に記載の発明において、上記電磁遮蔽シートが、その上面または下面の少なくとも一方の面に、上記電磁遮蔽シートが破断された状態にある場合にも当該電磁遮蔽シートを繋がった状態に保持する保護層を備えていることを特徴とするものである。
【００１３】
また、請求項３に記載の発明に係るノイズ遮蔽構造は、請求項１または２に記載のノイズ対策シートを、上面板と側面板を有する箱形に折り曲げて、回路基板上に実装されたノイズ対策の対象部品を覆うように被せて貼り付けたことを特徴とするものである。
【発明の効果】
【００１４】
請求項１または２に記載のノイズ対策シートによれば、必要な箇所に切り込みがあるので、ハサミなどの道具を使わずに折り曲げ線でシートを折り曲げて、上面板と全周の側面板とを有する３次元形状の箱形を作ることができる。また、折り曲げにより側面板を形成した際に余った部分を、更に折り曲げて側面板に重ね合わせて貼り付けることにより、形状の安定した箱形のシールドカバーを作ることができ、ノイズ対策の対象部品に被せることにより、漏れの少ない確実なノイズ対策を施すことができる。
【００１５】
特に、請求項２に記載のノイズ対策シートのように、電磁遮蔽シートが、その上面または下面の少なくとも一方の面に保護層を備えることにより、電磁遮蔽シートが破断された状態にある場合にも、電磁遮蔽シートを繋がった状態に保持することができる。従って、折り曲げによる遮蔽性能の低下を来さない。
【００１６】
また、請求項３に記載のノイズ遮断構造によれば、請求項１または２に記載のノイズ対策シートを用いて、対象部品を覆うので、漏れの少ない確実なノイズ対策を施すことができる。
【図面の簡単な説明】
【００１７】
【図１】（ａ）は本発明の実施形態のノイズ対策シートの平面図、（ｂ）は同ノイズ対策シートの断面構成を示す拡大図である。
【図２】（ａ）〜（ｆ）は図１のノイズ対策シートの使用手順を説明するための図である。
【図３】従来のノイズ対策シートの使用例を示す斜視図である。
【発明を実施するための形態】
【００１８】
以下、本発明の実施形態を図面を参照して説明する。
図１（ａ）は実施形態のノイズ対策シートの平面図、（ｂ）は同ノイズ対策シートの断面構成を示す拡大図、図２（ａ）〜（ｆ）は同ノイズ対策シートの使用手順を説明するための図である。
【００１９】
このノイズ対策シート１０は、図１（ｂ）に断面構成を示すように、電磁遮蔽シートとしての厚さ寸法が５０μｍ〜１．０ｍｍの矩形の焼結フェライト板１の上面１ａに保護層２を形成し、焼結フェライト板１の下面１ｂに両面テープなどによる粘着層３を形成し、その粘着層３の下面に剥離シート４を設け、必要な箇所で下方に折り曲げ可能とされたものである。ここで、焼結フェライト板１以外の薄肉シート状の電磁遮蔽シートを用いても勿論よい。また、焼結フェライト板１の下面に保護層２を設け、その下面に粘着層３や剥離シート４を設けてもよい。その場合、上面の保護層２を省略してもよい。
【００２０】
保護層２は、焼結フェライト板１が破断された状態にある場合にも、焼結フェライト板１を繋がった状態に保持するためのものであり、焼結フェライト板１の破片が分離したりあるいは脱落したりすることがないようにしている。この保護層２としては、適度の硬度と適度の伸び率を有する樹脂のコーティング層を採用するのが好ましい。
【００２１】
その樹脂としては、例えば、アクリル系、シリコーン系、エポキシ系等の紫外線硬化樹脂やゴム系、ウレタン系、アクリル系、シリコーン系、エポキシ系等の熱硬化樹脂が好適に採用可能である。また、コーティング層の代わりに、薄い保護フィルムを貼り付けて保護層２を構成してもよい。また、粘着層３の下面の剥離シート４は、使用前に粘着層３を覆って保護し、使用時に剥離されることで粘着層３を露出させるものであり、使用前の取り扱いをしやすくする。
【００２２】
このノイズ対策シート１０は、図１（ａ）に示すように、全体が平面視矩形状に形成されており、中央部に、ノイズ対策の対象部品を覆う際に矩形状の上面板となる領域部分１１を有し、その上面板となる領域部分１１の外周縁の外側に、下方に折り曲げられることで、ノイズ対策の対象部品の全周側面を覆う側面板となる領域部分１２を有している。側面板となる領域部分１２としては、矩形状の上面板となる領域部分１１の四辺の各外側に４つの長方形部分１２ａ、１２ａ、１２ｂ、１２ｂが設けられている。
【００２３】
また、上面板となる領域部分１１の外周縁上には、側面板となる領域部分１２（１２ａ、１２ａ、１２ｂ、１２ｂ）を下方に折り曲げるための折り曲げ線２１ａ、２１ｂ、２１ｂ、２１ｂが設けられている。また、側面板となる領域部分１２には、側面板となる領域部分１２の外周縁から上面板１１となる領域部分の外周縁に向かって、側面板となる領域部分１２を下方に折り曲げるための切り込み２３が設けられる。
【００２４】
また、側面板となる領域部分１２には、当該側面板となる領域部分１２を下方に折り曲げた際に、側面板となる領域部分１２上の余った部分１２ｃを更に折り曲げて、先に側面板になった部分に重ね合わせるための折り曲げ線２２が設けられている。
【００２５】
切り込み２３は、上面板となる領域部分１１の外周縁上の一方の互いに対向する一対の折り曲げ線２１ｂ、２１ｂの延長上に設けられている。また、余った部分１２ｃを更に折り曲げるための折り曲げ線２２は、上面板となる領域部分１１の外周縁上の他方の互いに対向する一対の折り曲げ線２１ａ、２１ａの延長上に設けられている。
【００２６】
ここでは、焼結フェライト板１は、上下面に貫通する複数本の裁断線に沿って小片に分割されており、その裁断線上に折り曲げ線２１ａ、２１ｂ、２２が設定されている。裁断線としては、第１の方向に不連続なミシン目状の第１の裁断線を第１の方向と直交する方向に間隔をおいて複数本形成するとともに、第１の方向と交差する第２の方向に不連続なミシン目状の第２の裁断線を、第２の方向と直交する方向に間隔をおいて複数本形成し、第１および第２の裁断線を互いの貫通部分において交差させて形成し、全体として格子状に形成する。そして、保護層２を形成した後に、保護層２の上から、焼結フェライト板１の面外方向に荷重を加えて、焼結フェライト板１を裁断線に沿って小片に分割する。
【００２７】
あるいは、平板状のノイズ対策シート１０の段階で焼結フェライト板１を小片に分割しておかないまでも、焼結フェライト板１の上面または下面の少なくとも一方に、焼結フェライト板１の破断を容易にするための溝状のハーフカット線またはミシン目線を設け、そのハーフカット線またはミシン目線上に折り曲げ線２１ａ、２１ｂ、２２を設けておくのがよい。
【００２８】
このように構成したノイズ対策シート１０を使用する場合は、図２（ａ）〜（ｆ）の手順で作業を進める。
まず、図２（ａ）のように用意したノイズ対策シート１０の下面の剥離シート４を剥がし、折り曲げ線２１ａ、２１ａの位置で（ｂ）に示すように、一方の対をなす長方形部分１２ａ、１２ａを下方に直角に折り曲げる。次いで、（ｃ）に示すように、折り曲げ線２１ｂ、２１ｂの位置で、他方の対をなす長方形部分１２ｂ、１２ｂを下方に直角に折り曲げる。次に、他方の対をなす長方形部分１２ｂ、１２ｂの各両端の余った部分１２ｃを、（ｄ）に示すように、折り曲げ線２２の位置で内側に折り曲げて、先に側面板となった部分に重ねて貼り合わせる。
【００２９】
こうすることにより、図２（ｅ）に示すように、ノイズ対策シート１０による上面板と側面板を有する矩形箱状のシールドカバーが出来上がる。後は、これを（ｆ）に示すように、回路基板１０１上に実装されたノイズ対策の対象部品１００を覆うように被せて、必要な箇所を対象部品１００の外面に貼り付ける。以上により、ノイズ遮蔽構造が出来上がる。なお、箱形に折り曲げたノイズ対策シート１０と対象部品１００との間に隙間があいていても、ノイズ遮蔽性能上は特に問題がない。
【００３０】
以上の説明したように、このノイズ対策シート１０によれば、必要な箇所に切り込み２３があるので、ハサミなどの道具を使わずに折り曲げ線２１ａ、２１ｂでシート１０を折り曲げて、上面板と全周の側面板とを有する３次元形状の箱形を作ることができる。また、折り曲げにより側面板を形成した際に余った部分１２ｃを、更に折り曲げて側面板に重ね合わせて貼り付けることにより、形状の安定した箱形のシールドカバーを作ることができ、ノイズ対策の対象部品１００に被せることにより、漏れの少ない確実なノイズ対策を施すことができる。
【００３１】
その際、焼結フェライト板１が、その上面１ａまたは下面１ｂの少なくとも一方の面に保護層２を備えていることにより、焼結フェライト板１が破断された状態にある場合にも、焼結フェライト板１を繋がった状態に保持することができる。従って、折り曲げによる遮蔽性能の低下を来さない。
【００３２】
また、上記実施形態のノイズ対策シート１０のように、電磁遮蔽シートである焼結フェライト板１が小片に分割されている場合、または、電磁遮蔽シートである焼結フェライト板１の表面に破断を容易にするハーフカット線またはミシン目線が設けられている場合は、不定形な割れを生じることなく、ノイズ対策シートを対象部品の外形状に沿わせることができる。
【００３３】
なお、上記実施形態では、ノイズ対策シート１０を平面視矩形状の箱形に折り曲げる場合を示したが、折り曲げ線や切り込みの入れ方によって、他の立体箱形状を作れるようにすることも容易にできる。
【符号の説明】
【００３４】
１  焼結フェライト板（電磁遮蔽シート）
１ａ  上面
１ｂ  下面
２  保護層
３  粘着層
４  剥離シート
１１  上面板となる領域部分
１２，１２ａ，１２ｂ  側面板となる領域部分
１２ｃ  余った部分
２１ａ，２１ｂ  折り曲げ線
２２  折り曲げ線
２３  切り込み
１００  対象部品
１０１  回路基板
【図１】
2015177093.tif 000003
【図２】
2015177093.tif 000004
【図３】
2015177093.tif 000005